(57)【要約】【課題】２系統の電気音響変換出力が可能な発振検波方式電気音響変換器において、発振周波数の調整を簡略化あるいは不要にした電気音響変換器を得る。【解決手段】発振回路１１で生成される高周波信号でバイアスされ、コンデンサー型電気音響変換手段の静電容量と共振コイル６１，６２によって構成された共振回路と、共振回路の出力信号から電気音響変換ユニットの静電容量変化に対応する信号に復調する復調回路を備える。発振回路１１は、水晶振動子３の両端に対称形に接続されたトランジスタと発振コイル１４を備え、共振回路は、発振コイル１４と磁気結合している発振結合コイルＬ１４の両端に接続された二つの共振コイルと各共振コイルに接続された互いに別系統の電気音響変換手段を備え、復調回路は、各共振回路の出力信号から各電気音響変換手段の静電容量変化に対応する信号に復調する二つの復調回路７０，８０からなる。【選択図】図１
2008306637.tif 000002
【特許請求の範囲】
【請求項１】
発振コイルおよび水晶振動子を備えた発振回路と、
上記発振回路と結合手段を介して結合され上記発振回路で生成される高周波信号でバイアスされるとともにコンデンサー型電気音響変換手段の静電容量と共振コイルによって構成された共振回路と、
上記共振回路の出力信号からコンデンサー型電気音響変換ユニットの静電容量変化に対応する信号に復調する復調回路と、を備えている電気音響変換器であって、
上記発振回路は、上記水晶振動子の両端に対称形に接続されたトランジスタと発振コイルを備え、
上記共振回路は、上記発振コイルと磁気結合している発振結合コイルの両端に接続された二つの共振コイルと各共振コイルに接続された互いに別系統のコンデンサー型電気音響変換手段を備え、
上記復調回路は、それぞれの共振回路の出力信号からそれぞれのコンデンサー型電気音響変換手段の静電容量変化に対応する信号に復調する二つの復調回路からなる電気音響変換器。
【請求項２】
コンデンサー型電気音響変換手段はレコード盤再生用のコンデンサー型ピックアップであって、カンチレバーと一体の可動電極とこの可動電極に中心角９０度をもって対向して可動電極との間でコンデンサーを構成する二つの固定電極を備える請求項１記載の電気音響変換器。
【請求項３】
二つの共振コイルはそれぞれこれに磁気結合された共振結合コイルを備え、各共振結合コイルの両端には復調回路としてのレシオ検波回路を構成するダイオードがそれぞれ接続され、上記各共振結合コイルには、発振コイルと磁気結合している基準周波数発生コイルにより生成される基準周波数信号が入力される請求項１記載の電気音響変換器。
【請求項４】
コンデンサー型電気音響変換手段はデンサーマイクロホンユニットであって、このマイクロホンユニットを二つ備えることによりステレオマイクロホンを構成している請求項１記載の電気音響変換器。
【請求項５】
二つの復調回路はそれぞれ逆極性の信号を出力する二つのレシオ検波回路を備え、各復調回路の二つのレシオ検波回路の出力が平衡出力となっている請求項４記載の電気音響変換器。
【請求項６】
二つの共振コイルはそれぞれこれに磁気結合された共振結合コイルを二つずつ備え、各共振コイルと磁気結合している二つの共振結合コイルのそれぞれの両端には復調回路としてのレシオ検波回路を構成するダイオードがそれぞれ接続され、上記各結合コイルには、発振コイルと磁気結合している基準周波数発生コイルにより生成される基準周波数信号が入力される請求項５記載の電気音響変換器。
【発明の詳細な説明】
【技術分野】
【０００１】
本発明はコンデンサー型のピックアップあるいはステレオマイクロホンなどの電気音響変換器に関するものである。
【背景技術】
【０００２】
アナログレコード盤の再生に用いる従来のピックアップは、一般に、ムービングコイル型あるいはムービングマグネット型などの速度比例型が用いられている。また、エレクトレットコンデンサー型、ＲＦコンデンサー型など、相対向する電極の重なり面積に比例して信号を出力する変位比例型も製造されていたが、現在は製造されていない。さらに、発振検波方式のコンデンサー型ピックアップも実用化されている。本発明は、発振検波方式コンデンサー型ピックアップあるいはステレオマイクロホンなどの電気音響変換器に関するものであるから、以下、発振検波方式コンデンサー型電気音響変換器について説明する。
【０００３】
発振検波方式コンデンサー型ピックアップは、回路構成が複雑で調整が難しいといった問題点があるが、固有雑音が小さいという特徴がある。また、出力インピーダンスが低いことから静電結合などによる雑音を受けにくいこと、磁性体を用いないので音質の調整が容易であることなどの利点がある。
図４は、従来の位相変調型発振検波方式コンデンサーマイクロホンの例を示す。図４において、符号１は発振回路、４は発振コイル、１０はレシオ検波回路、６は共振コイルをそれぞれ示している。発振コイル４は、互いに磁気結合された三つのコイルＬ１、Ｌ２、Ｌ３を有してなる。
【０００４】
発振回路１は、トランジスタ２、水晶振動子３、上記コイルＬ１（タンクコイル）を含む。コイルＬ１にはコンデンサーＣ１が並列に接続され、コイルＬ１の一端には電源ＰＳが接続され、コイルＬ１の他端はトランジスタ２のコレクタに接続されている。トランジスタ２のコレクタとベースの間には抵抗Ｒ１が接続され、ベースとアースの間には水晶振動子３が接続され、水晶振動子３と並列に抵抗Ｒ２が接続されている。トランジスタ２のコレクタとベースの間にはまた、コンデンサーＣ７とＣ８が直列に接続され、このコンデンサーＣ７とＣ８の接続点はトランジスタ２のエミッタに接続され、エミッタは抵抗Ｒ３を介してアースに接続されている。コイルＬ２とＬ３は直列に接続され、この接続点はアースに接続されている。発振回路１は水晶振動子３を備えた発振回路を構成することによって発振周波数を安定化させている。
【０００５】
上記共振コイル６は互いに磁気結合された三つのコイルＬ４、Ｌ５、Ｌ６を有してなる。上記レシオ検波回路１０は、位相変調された信号の復調方式の一つで、コイルＬ５、Ｌ６とコンデンサーの結合によって位相差を作り、ベクトル的に復調する回路方式である。上記コンデンサーは、コンデンサーマイクロホンユニット５、より具体的にいえば、コンデンサーマイクロホンユニットを構成している振動板と、この振動板と間隙をおいて対向している固定電極との間で形成されているコンデンサーである。コイルＬ５とＬ６は直列に接続され、コイルＬ５の他端はダイオード７を介してマイクロホン出力端子ＯＵＴに、コイルＬ６の他端はダイオード８を介して上記マイクロホン出力端子ＯＵＴに接続されている。ダイオード７と８は互いに逆向きになっている。
【０００６】
発振回路１は、例えば８ＭＨｚ−１２ＭＨｚ程度の高周波を発振し、発振した高周波を発振コイル４から共振コイル６に供給するために、コイルＬ２の一端とコイルＬ４の一端が接続され、コイルＬ３の一端が、コイルＬ５とＬ６の接続点に接続されている。発振回路１で発振された高周波信号は、コイルＬ２、Ｌ３から共振コイル６に供給される。共振コイル６を構成するコイルＬ４にはマイクロホンユニット５の静電容量が直列に接続されている。コンデンサーマイクロホンユニット５は、振動板が受けた音波にしたがって振動することにより上記静電容量が変化する。マイクロホンユニット５の静電容量と共振コイル６のインダクタンスによって共振回路を構成し、これに発振回路１で生成される高周波信号をバイアスとして加える。上記高周波信号はマイクロホンユニット５で電気音響変換された音声信号で位相変調される。この変調信号は、上記レシオ検波回路１０で復調され、マイクロホン出力端子ＯＵＴから出力される。共振コイル６を構成するコイルＬ４はマイクロホンユニット５の静電容量と直列共振することから、共振周波数でのインピーダンスが極めて低くなる。このように共振周波数でのインピーダンスを低くしなければ、感度が低下する。
【０００７】
アナログのレコード盤再生用ピックアップは、レコード盤の溝に刻まれた左右チャンネルの音声信号を再生し、左右の信号を出力するように構成されている。これまでに商品化された発振検波方式のピックアップは、左右チャンネル別々の発振周波数を持つ二つの発振器と、各発振器に対応した二つの検波器を必要としている。
しかるに、異なる二つの周波数信号を発信する発振器が二つ内蔵されていると、二つの周波数信号間に干渉を生じやすく、ピックアップ本体内に二つの発振器を内蔵したあとも発振周波数が干渉しないように発振器を調整しあるいは検波コイルのインダクタンスを調整する必要があった。また、例えばＶＦＯによる発振周波数調整方式であることから、周波数のドリフトが発生し、発振周波数を頻繁に調整する必要があった。しかしながら、この種の調整は高度の技術を要し、一般のユーザーが調整することは困難であるから、ユーザーが限られるという難点があった。
【０００８】
発振検波方式コンデンサーマイクロホンをステレオマイクロホンとする場合も、従来の発想では、左右のマイクロホンユニットに対応して発振周波数の異なる二つの発振器と、各発振器に対応する二つの検波回路を必要とする。しかし、複数の発振器を用いる場合、マイクロホンケースを別々にしないと発振信号が相互に干渉するので、外形が大型化しステレオマイクロホンとして使い勝手が悪くなる。
発振検波方式のマイクロホンは低雑音であることから、スタジオなどで用いられる。スタジオ用の場合、平衡出力である必要があり、平衡出力を可能にするように回路構成を工夫する必要がある。
【０００９】
なお、コンデンサー型の電気音響変換器として、特許文献１に記載されているコンデンサー型トランスジューサ、特許文献２に記載されている容量−電圧変換装置、特許文献３に記載されているピックアップ装置が知られている。
これらの各特許文献に記載されている発明はいずれも発振検波方式に属するものである。しかしながら、いずれの特許文献記載の発明にも、複数の発振器とそれに対応した検波回路を備える電気音響変換器において生じる前述のような技術的な問題点の認識およびこの問題点の解決手段に関してなんら記載がない。
【００１０】
【特許文献１】実公昭４９−３８６４３号公報
【特許文献２】実公昭４９−３０１２２号公報
【特許文献３】特公昭４９−３３６４１号公報
【発明の開示】
【発明が解決しようとする課題】
【００１１】
本発明は、レコード盤再生用のピックアップ、あるいはステレオマイクロホンのような、２系統の電気音響変換出力が可能な発振検波方式電気音響変換器において、単一の発振器で二つの共振回路、二つの復調回路を動作させることができるように回路構成を工夫し、もって、発振周波数の調整を簡略化あるいは不要にした電気音響変換器を提供することを目的とする。
本発明はまた、電気音響変換器がステレオマイクロホンの場合、平衡出力を可能にすることを目的とする。
【課題を解決するための手段】
【００１２】
本発明に係る電気音響変換器は、発振コイルおよび水晶振動子を備えた発振回路と、発振回路と結合手段を介して結合され発振回路で生成される高周波信号でバイアスされるとともにコンデンサー型電気音響変換手段の静電容量と共振コイルによって構成された共振回路と、共振回路の出力信号からコンデンサー型電気音響変換ユニットの静電容量変化に対応する信号に復調する復調回路と、を備えている電気音響変換器であって、上記発振回路は、水晶振動子の両端に対称形に接続されたトランジスタと発振コイルを備え、上記共振回路は、発振コイルと磁気結合している発振結合コイルの両端に接続された二つの共振コイルと各共振コイルに接続された互いに別系統のコンデンサー型電気音響変換手段を備え、上記復調回路は、それぞれの共振回路の出力信号からそれぞれのコンデンサー型電気音響変換手段の静電容量変化に対応する信号に復調する二つの復調回路からなることを最も主要な特徴とする。
【発明の効果】
【００１３】
発振回路は一つの水晶振動子を備えた一つの発振回路であり、水晶振動子の両端に対称形に接続されたトランジスタと発振コイルによってそれぞれ同じ周波数の信号が出力される。この信号は二つの共振回路の各共振コイルに入力され、二つの共振回路をそれぞれバイアスする。各共振コイルは、互いに別系統のコンデンサー型電気音響変換手段の静電容量と接続されていて、各コンデンサー型電気音響変換手段の静電容量変化に対応した信号が各復調回路から出力される。
発振回路は一つでありながら、二つの復調回路からは別系統の信号を出力することができる。よって、従来の発振検波方式ピックアップなどに見られるように、二つの復調回路に対応した二つの共振回路を設ける必要がなく、単一の発振周波数で足りるので、発振信号同士の干渉の問題がなく、発振周波数も安定し、発振周波数の調整を簡略化あるいは不要にすることができる。
【発明を実施するための最良の形態】
【００１４】
以下、本発明にかかる電機音響変換器の実施例について図面を参照しながら説明する。
【実施例１】
【００１５】
図１において、符号１１は発振回路、１４は発振コイル、７０，８０はレシオ検波回路、６１，６２は共振コイルをそれぞれ示している。発振コイル１４は、互いに磁気結合された４個のコイルＬ１１、Ｌ１２、Ｌ１３、Ｌ１４を有してなる。
【００１６】
発振回路１１は、二つのトランジスタ２１，２２、一つの水晶振動子３、上記コイルＬ１１，Ｌ１２（タンクコイル）を含む。コイルＬ１１、Ｌ１２の接続点には電源ＰＳが接続され、コイルＬ１１の他端は電界効果型トランジスタ（以下「ＦＥＴ」という）２１のソースに、コイルＬ１２の他端はＦＥＴ２２のソースに接続されている。ＦＥＴ２１のドレーンと接地Ｇの間には抵抗Ｒ２１が、ベースと接地Ｇの間には抵抗Ｒ２２が接続され、ベースには水晶振動子３の一端が接続されている。ＦＥＴ２２のドレーンと接地Ｇの間には抵抗Ｒ２４が、ベースと接地Ｇの間には抵抗Ｒ２３が接続され、ベースには水晶振動子３の他端が接続されている。このように、発振回路は、水晶振動子３の両端に対称形に接続されたＦＥＴ２１，２２と発振コイル１４を備えている。このように構成された発振回路１１は、水晶振動子３の固有振動数で決まる特定の周波数信号で発振し、この信号が発振コイルＬ１１、Ｌ１２から出力される。発振回路１１は水晶振動子３を備えた発振回路を構成することによって発振周波数を安定化させている。
【００１７】
上記共振コイル６１は互いに磁気結合された二つのコイルＬ４１、Ｌ５１を有し、共振コイル６２も互いに磁気結合された二つのコイルＬ４２、Ｌ５２を有してなる。コイルＬ４１，Ｌ４２が本来の共振コイルであり、コイルＬ５１，Ｌ５２はここでは「共振結合コイル」という。上記レシオ検波回路７０，８０は、位相変調された信号の復調方式の一つで、レシオ検波回路７０はコイルＬ４１とコンデンサーの結合によって位相差を作り、レシオ検波回路８０はコイルＬ４２とコンデンサーの結合によって位相差を作り、ベクトル的に復調する回路方式である。上記コンデンサーは、コンデンサー型ピックアップユニットが備えているコンデンサーである。より具体的にいえば、図２にも示すように、コンデンサー型ピックアップユニットを構成しているカンチレバー５０の外周面に形成された可動電極と、この可動電極に間隙をおいて対向している固定電極５１，５２との間でそれぞれ形成されている二つのコンデンサーである。カンチレバー５０の先端にはレコードの音溝をトレースする針が装着されていて、この針が音溝の凹凸にしたがって振動することによりカンチレバー５０が動き、カンチレバー５０の動きに従って固定電極５１，５２との間隙が変化する。カンチレバー５０に形成された可動電極に対して上記固定電極５１，５２が中心角９０度をもって対向している。上記のようにカンチレバー５０が動くことによって可動電極と固定電極５１，５２の間隙が変化し、上記各コンデンサーの静電容量が変化する。固定電極５１は左（Ｌ）チャンネルの出力端子となっていて上記コイルＬ４１につながり、固定電極５２は右（Ｒ）チャンネルの出力端子となっていて上記コイルＬ４２につながっている。
【００１８】
上記コイルＬ４１とＬ４２の他端は、発振コイルＬ１１，Ｌ１２に磁気結合しているコイルＬ１４（以下「発振結合コイル」という）の各端に接続されている。発振結合コイルＬ１４はセンタータップを有し、センタータップは接地されている。結合コイル６１を構成するコイルＬ４１と磁気結合している共振結合コイルＬ５１の一端はダイオード７１を介してＬチャンネル出力端子ＬＯＵＴに、コイルＬ５１の他端はダイオード７２を介して上記Ｌチャンネル出力端子ＬＯＵＴに接続されている。ダイオード７１と７２は互いに逆向きになっている。結合コイル６２を構成するコイルＬ４２と磁気結合している共振結合コイルＬ５２の一端はダイオード８１を介してＲチャンネル出力端子ＲＯＵＴに、コイルＬ５２の他端はダイオード８２を介して上記Ｒチャンネル出力端子ＲＯＵＴに接続されている。ダイオード８１と８２は互いに逆向きになっている。共振結合コイルＬ５１、Ｌ５２はセンタータップを有し、これらのセンタータップは、発振コイルＬ１１，Ｌ１２と磁気結合されている基準周波数発生コイルＬ１３の各端に接続されている。基準周波数発生コイルＬ１３はセンタータップを有し、このセンタータップは接地されている。Ｌチャンネル出力端子ＬＯＵＴと接地との間にはコンデンサーＣ９１が、Ｒチャンネル出力端子ＲＯＵＴと接地との間にはコンデンサーＣ９２が接続されている。
【００１９】
発振回路１１は、例えば８ＭＨｚ−１２ＭＨｚ程度の高周波を発振し、発振した高周波信号を発振コイル１４から共振コイル６１、６２に供給するために、結合コイルＬ１４の各端が共振コイル６１，６２を構成するコイルＬ４１、Ｌ４２の一端に接続されている。コイルＬ４１、Ｌ４２の他端は、電気音響変換器のひとつであるピックアップユニットの前記カンチレバー５０に形成されている可動電極は接地Ｇにつながっている。
発振回路１１で発振された高周波信号は、結合コイルＬ１４から共振コイル６１、６２に供給される。共振コイル６１、６２を構成するコイルＬ４１、Ｌ４２にはそれぞれコンデンサー型ピックアップユニットの左チャンネルと右チャンネルの静電容量が直列に接続されている。ピックアップユニットは、カンチレバー５０の振動にしたがって左右チャンネルの静電容量が変化する。左チャンネルの静電容量と共振コイルＬ４１のインダクタンスによって共振回路を構成し、同じく、右チャンネルの静電容量と共振コイルＬ４２のインダクタンスによって共振回路を構成し、これに発振回路１１で生成される高周波信号をバイアスとして加える。上記高周波信号はピックアップユニットで電気音響変換された信号で位相変調される。この変調信号は、各レシオ検波回路７０，８０で復調され、左チャンネル出力端子ＬＯＵＴと、右チャンネル出力端子ＲＯＵＴから出力される。共振コイル６１、６２を構成するコイルＬ４１、Ｌ４２はピックアップユニットの静電容量と直列共振することから、共振周波数でのインピーダンスが低くなる。
【００２０】
以上説明した第１の実施例は、発振回路１１が、水晶振動子３の両端に対称形に接続されたＦＥＴ２１，２２と発振コイル１４を備え、共振回路が、発振コイル１４と磁気結合している発振結合コイルＬ１４の両端に接続された二つの共振コイルＬ４１、Ｌ４２と各共振コイルに接続された互いに別系統のコンデンサー型電気音響変換手段であるピックアップの電気音響変換部を備え、復調回路は、それぞれの共振回路の出力信号からそれぞれのコンデンサー型電気音響変換手段の静電容量変化に対応する信号に復調する二つの復調回路７０、８０を備えている。そのため、２系統の信号を出力するのに一つの発振回路１１があれば足り、二つの発振回路を設ける必要がないから、回路構成の簡単化を図ることができると共に、発振信号同士の干渉の問題がなくなる。発振周波数の微妙な調整も不要であることから、特別な技術的能力がなくても使用可能であり、周波数のドリフトの問題もなくなる。
【実施例２】
【００２１】
図３は本発明に係る電気音響変換器の第２の実施例を示している。この実施例は発振検波方式コンデンサー型ステレオマイクロホンの例である。この実施例は、電気音響変換部がコンデンサーマイクロホンユニットであること、左右チャンネルの出力をそれぞれ平衡出力にするために復調回路に構成が付加されていることが図１に示す第１の実施例と異なっている。そこで、異なる構成部分に新たな符号を付し、同じ構成部分には第１の実施例と共通の符号を付して、第１の実施例の説明と重複する説明は簡略化して説明する。
【００２２】
図３において、符号５３，５４はそれぞれ左チャンネルと右チャンネルのコンデンサーマイクロホンユニットを示す。コンデンサーマイクロホンユニット５３は、音波を受けて振動する振動板５５と、この振動板５５と所定の間隙をおいて対向する固定電極５６を有し、振動板５５と固定電極５６との間でコンデンサーを構成している。同様に、コンデンサーマイクロホンユニット５４も、振動板５７と固定電極５８を有し、振動板５７と固定電極５８との間でコンデンサーを構成している。振動板５５，５７は共に接地され、固定電極５６は共振コイルＬ４１の一端に、固定電極５８は共振コイルＬ４２の一端に接続されている。共振コイル６１，６２はそれぞれ、上記コイルＬ４１，Ｌ４２と磁気結合している二つのコイルＬ５１，Ｌ６１と、Ｌ５２，Ｌ６２を有している。
【００２３】
左チャンネルのコイルＬ５１，Ｌ６１はセンタータップを備えていて、これらのセンタータップは、前記発振コイルＬ１１，Ｌ１２と磁気結合している基準周波数発生コイルＬ１３の一端が接続され、コイルＬ１３により生成される基準周波数信号が入力されるようになっている。同様に、右チャンネルのコイルＬ５２，Ｌ６２もセンタータップを備えていて、これらのセンタータップは、上記基準周波数発生コイルＬ１３の他端が接続され、コイルＬ１３により生成される基準周波数信号が入力されるようになっている。上記コイルＬ５１の両端にはダイオード７３，７４が互いに逆向きに接続されて、復調回路としてのレシオ検波回路１０１が構成され、このレシオ検波回路１０１の出力は左チャンネル出力ＬＯＵＴの一方の出力ラインにつながっている。上記コイルＬ６１の両端にはダイオード７５，７６が互いに逆向きに接続されて、別のレシオ検波回路１０２が構成され、このレシオ検波回路１０２の出力は左チャンネル出力ＬＯＵＴの他方の出力ラインにつながっている。上記二つのレシオ検波回路１０１、１０２の出力は左チャンネル出力ＬＯＵＴとして平衡出力される。
【００２４】
右チャンネルの共振回路と復調回路としてのレシオ検波回路も同様に構成されている。すなわち、上記コイルＬ５２の両端にはダイオード８３，８４が互いに逆向きに接続されてレシオ検波回路１０３が構成され、このレシオ検波回路１０３の出力は右チャンネル出力ＲＯＵＴの一方の出力ラインにつながっている。上記コイルＬ６２の両端にはダイオード８５，８６が互いに逆向きに接続されて、別のレシオ検波回路１０４が構成され、このレシオ検波回路１０３の出力は右チャンネル出力ＲＯＵＴの他方の出力ラインにつながっている。上記二つのレシオ検波回路１０３、１０４の出力は右チャンネル出力ＲＯＵＴとして平衡出力される。
その他の構成は前記第１の実施例の構成と同じであるから説明を省略する。
【００２５】
以上説明した第２実施例では、共振コイル６１、６２を構成するコイルＬ４１、Ｌ４２にはそれぞれ左チャンネルと右チャンネルのコンデンサー型マイクロホンユニット５３，５４の静電容量が直列に接続されている。各マイクロホンユニット５３，５４は、振動板５５，５７が音波を受けて振動することにより、固定電極５６，５８との間の静電容量が変化する。左チャンネルの静電容量と共振コイルＬ４１のインダクタンスによって共振回路を構成し、同じく、右チャンネルの静電容量と共振コイルＬ４２のインダクタンスによって共振回路を構成し、これに発振回路１１で生成される高周波信号をバイアスとして加える。上記高周波信号はコンデンサーマイクロホンユニットで電気音響変換された信号で位相変調される。左チャンネルマイクロホンユニット５３による変調信号は、左チャンネルの各レシオ検波回路１０１，１０２で復調される。二つのレシオ検波回路１０１，１０２は互いに逆位相の信号を出力し、これらの信号ラインから左チャンネル出力端子ＬＯＵＴとして平衡出力される。右チャンネルについても同じで、右チャンネルマイクロホンユニット５４による変調信号は、右チャンネルの各レシオ検波回路１０３，１０４で復調される。二つのレシオ検波回路１０３，１０４は互いに逆位相の信号を出力し、これらの信号ラインから右チャンネル出力端子ＲＯＵＴとして平衡出力される。
【００２６】
以上説明した第２の実施例においても前記第１の実施例と同様の効果を得ることができると共に、左右のチャンネルごとに、出力信号の極性が異なる二つの復調回路を接続し、それぞれの復調回路の出力で平衡出力させるように構成したため、例えば、スタジオ内での使用も可能な発振検波方式ステレオコンデンサーマイクロホンを得ることができる。
【図面の簡単な説明】
【００２７】
【図１】本発明に係る電気音響変換器の第１の実施例を示す回路図である。
【図２】上記第１の実施例に用いられる電気音響変換部の要部を示す側面図である。
【図３】本発明に係る電気音響変換器の第２の実施例を示す回路図である。
【図４】従来の電気音響変換器の例を示す回路図である。
【符号の説明】
【００２８】
３    水晶振動子
１１    発振回路
１４    発振コイル
５１    固定電極
５２    固定電極
５５    振動板
５６    固定電極
５７    振動板
５８    固定電極
５３    コンデンサーマイクロホンユニット
５４    コンデンサーマイクロホンユニット
６１    共振コイル
６２    共振コイル
７０    レシオ検波回路
８０    レシオ検波回路
１０１    レシオ検波回路
１０２    レシオ検波回路
１０３    レシオ検波回路
１０４    レシオ検波回路
Ｌ１１    発振結合コイル
Ｌ１２    発振結合コイル
Ｌ１３    基準周波数発生コイル
【図１】
2008306637.tif 000003
【図２】
2008306637.tif 000004
【図３】
2008306637.tif 000005
【図４】
2008306637.tif 000006